(57)【特許請求の範囲】
【請求項１】
第１および第２の面を有し、電子部品が収容される凹部が形成された複数の配線基板領域が縦横に配列された母基板と、該母基板の前記複数の配線基板領域に形成された配線導体とを備え、前記複数の配線基板領域は、前記母基板の前記第１の面に前記凹部が形成された配線基板領域と、前記母基板の前記第２の面に前記凹部が形成された配線基板領域とが交互に配置されていることを特徴とする多数個取り配線基板。
【請求項２】
前記複数の配線基板領域は、各々の配線基板領域の対角線上に位置する角部にキャスタレーション導体が形成されていることを特徴とする請求項１の多数個取り配線基板。
【請求項３】
前記第１の面に形成された前記凹部の底面と前記第２の面に形成された前記凹部の底面とが、前記母基板の厚み方向の同じ位置に形成されていることを特徴とする請求項１または請求項２記載の多数個取り配線基板。
【請求項４】
前記母基板は、前記複数の配線基板領域の境界に、前記第１の面および前記第２の面から同じ深さで、かつ前記母基板の前記凹部を取り囲む枠部の厚みの３０〜７０％の深さで分割溝が形成されていることを特徴とする請求項１乃至請求項３のいずれかに記載の多数個取り配線基板。
【発明の詳細な説明】
【技術分野】
【０００１】
本発明は、複数の配線基板領域が縦横に配列された多数個取り配線基板に関するものである。
【背景技術】
【０００２】
従来、半導体素子や圧電素子等の電子部品が収容される電子部品収納用パッケージは、上面の中央部に電子部品が収容される凹部を有する絶縁基板と、凹部の内側から絶縁基板の側面や下面にかけて導出された配線導体とを備えている。
【０００３】
この電子部品収納用パッケージは、母基板に複数の配線基板領域が縦横に形成されて成る多数個取り配線基板の形態で形成されるものがある（例えば、下記特許文献１を参照）。多数個取り配線基板は、母基板の各配線基板領域の境界線に分割溝が形成されている。多数個取り配線基板は、各配線基板領域の境界（分割溝）に沿って分割されることにより、電子部品収納用パッケージに個片化される。
【０００４】
そして、電子部品収納用パッケージには、凹部内に電子部品が収容されるとともに、電子部品の電極が凹部の底面に露出した配線導体にボンディングワイヤや導電性接着剤を介して電気的に接続され、上面に蓋体が接合されることにより、凹部内に電子部品が気密封止された電子装置となる。
【０００５】
なお、多数個取り配線基板は、所定の導体層が形成された平板状のセラミックグリーンシートに、各配線基板領域に対応する部分に開口部が配列形成されたセラミックグリーンシートを積層し、この積層体を焼成することにより作製される。
【特許文献１】特開２００２−３５３５７４号公報
【発明の開示】
【発明が解決しようとする課題】
【０００６】
しかしながら、このような従来の多数個取り配線基板の場合、母基板に反りが発生しやすいという問題があった。
【０００７】
すなわち、多数個取り配線基板となるセラミックグリーンシートの積層体は、凹部となる開口部が、一方の面に偏って多数配列形成されているため、焼成時に、凹部が配列されている面と、それに対向する面との間で、焼成時の収縮に差が生じる。すなわち、凹部が形成されている側の方が大きく収縮する傾向がある。
【０００８】
この収縮の差に起因して、積層体に、凹部が形成されている側に向かって凹となるような応力が作用するので、各々の配線基板領域に発生した微小な反りが母基板の一辺方向に累積されることにより、焼成されてなる多数個取り配線基板（母基板）に反りが発生しやすい。
【０００９】
特に、近年、電子部品収納用パッケージの小型化に応じて、各配線基板領域を平面視したときに配線基板領域の外形面積に対する凹部の占める面積が大きくなってきているので、収縮差に起因する応力が大きくなってきている。また薄型化のために母基板の厚さも薄くなり変形しやすくなってきている。そのため、上記凹部の存在に起因する反りが顕著なものとなってきている。
【００１０】
本発明はかかる問題点に鑑み案出されたものであり、その目的は、各配線基板領域に凹部が形成されている多数個取り配線基板において、反りが効果的に防止された多数個取り配線基板を提供することにある。
【課題を解決するための手段】
【００１１】
本発明の多数個取り配線基板は、第１および第２の面を有し、電子部品が収容される凹部が形成された複数の配線基板領域が縦横に配列された母基板と、該母基板の前記複数の配線基板領域に形成された配線導体とを備え、前記複数の配線基板領域は、前記母基板の前記第１の面に前記凹部が形成された配線基板領域と、前記母基板の前記第２の面に前記凹部が形成された配線基板領域とが交互に配置されていることを特徴とするものである。
【００１２】
また、本発明の多数個取り配線基板は、好ましくは、前記複数の配線基板領域は、各々の配線基板領域の対角線上に位置する角部にキャスタレーション導体が形成されていることを特徴とするものである。
【００１３】
また、本発明の多数個取り配線基板は、好ましくは、前記第１の面に形成された前記凹部の底面と前記第２の面に形成された前記凹部の底面とが、前記母基板の厚み方向の同じ位置に形成されていることを特徴とするものである。
【００１４】
また、本発明の多数個取り配線基板は、好ましくは、前記母基板は、前記複数の配線基板領域の境界に、前記第１の面および前記第２の面から同じ深さで、かつ前記母基板の前記凹部を取り囲む枠部の厚みの３０〜７０％の深さで分割溝が形成されていることを特徴とするものである。
【発明の効果】
【００１５】
本発明の多数個取り配線基板は、複数の配線基板領域は、母基板の第１の面に凹部が形成された配線基板領域と、母基板の第２の面に凹部が形成された配線基板領域とが交互に配置されていることから、母基板の対向する第１および第２の面の両側に、ほぼ同じ数の凹部が、同じような間隔で配列されることになる。
【００１６】
そのため、焼成のときに、母基板（セラミックグリーンシートの積層体）の第１の面と第２の面とにおいて、収縮差が生じることを効果的に防止することができ、収縮差に起因する応力を抑制することができる。したがって、その応力に起因する母基板の反りが抑制された多数個取り配線基板を提供することができる。
【００１７】
また、本発明の多数個取り配線基板は、好ましくは、複数の配線基板領域は、各々の配線基板領域の対角線上に位置する角部にキャスタレーション導体が形成されていることから、第１および第２の面に交互に凹部が配置されたとしても（電子部品収納用パッケージとなる配線基板領域が、交互に表裏逆になるように配列されたとしても）、隣り合う配線基板領域の間の電気的な接続が容易に行なえる。
【００１８】
つまり、各配線基板領域の対角線上に位置する角部は、配線基板領域同士が表裏逆向きに配列されたときに、ちょうど隣り合う位置に位置し得ることになる。そのため、各角部に形成されたキャスタレーション導体が、隣り合う配線基板領域の間で接することになる。このキャスタレーション導体同士を隣り合う配線基板領域の間で互いに容易に電気的に接続させることができる。
【００１９】
その結果、例えば、各々の配線基板領域の対角線上に位置する角部にキャスタレーション導体が形成された配線基板において、ダミー配線基板領域を形成することなく配列形成することができることから、母基板に配列される配線基板領域の取り個数を減少させることがない。したがって、電子部品収納用パッケージ等の個片の生産性の高い多数個取り配線基板を提供することができる。
【００２０】
また、本発明の多数個取り配線基板は、好ましくは、第１の面に形成された凹部の底面と第２の面に形成された凹部の底面とが、母基板の厚み方向の同じ位置に形成されている
ことから、次のような効果を得ることができる。すなわち、各配線基板領域において、配線導体を母基板の厚み方向の中央の１面（凹部の底面が位置する面）に集中させることができるので、隣接する配線基板領域の間で配線導体同士を直接接続させるような場合、同じ面内での接続が容易である。そのため、例えば、異なる面に位置する配線導体を接続させる際に必要な、貫通導体やキャスタレーション等の厚み方向の引き回しを最小限とすることができ、隣り合う配線基板領域間を接続する配線導体の引き回しが容易となる。したがって、生産性を向上させることができる。
【００２１】
また、配線基板領域の厚み方向における配線導体を母基板の中央の１面に集中させることができることから、配線導体と母基板との焼成時の収縮の差に起因する応力を、母基板の厚み方向の中央部分に集中させることができる。そのため、その応力が、母基板の第１または第２の面のいずれか一方に偏って作用することに起因する反りを軽減して多数個取り配線基板に発生する反りをさらに効果的に低減することができる。
【００２２】
また、本発明の多数個取り配線基板は、好ましくは、母基板は、複数の配線基板領域の境界に、第１の面および第２の面から同じ深さで、かつ母基板の凹部を取り囲む枠部の厚みの３０〜７０％の深さで分割溝が形成されていることから、配線基板領域を個片状に分割した際に、側面に形成される破断面の面積を同じものとすることができ、形状の均一な配線基板を得ることができる。また、第１および第２の面の両側で、分割溝の深さが同じなので、分割溝が形成されている部位における母基板の機械的強度を第１および第２の両の両側で揃えることができる。また、この分割溝は、枠部の厚みの３０〜７０％の深さで形成されているので、第１および第２の面の両側で互いに対向するように形成されることにより、所定の分割位置における母基板の機械的強度を、分割が容易な程度に低くすることができる。したがって、個片に分割するときの不用意な割れやバリ欠けを防止することができる。
【発明を実施するための最良の形態】
【００２３】
本発明の多数個取り配線基板について図１を参照して詳細に説明する。図１（ａ）は、本発明の多数個取り配線基板の構造を示す平面図であり、図１（ｂ）は、図１（ａ）に示した多数個取り配線基板のＸ−Ｘ’線における断面図である。
【００２４】
図１において、１０１は母基板、１０２は配線基板領域、１０３は凹部、１０４は配線導体、１０５はキャスタレーション導体、１０９は母基板１０１の第１の面、１１０は第２の面である。
【００２５】
基板１０１は、第１および第２の面１０９、１１０を有し、電子部品（図示せず）が収容される凹部１０３が形成された複数の配線基板領域１０２が縦横に配列されている。この複数の配線基板領域１０２には、電子部品が収容される凹部１０３が形成されている。
【００２６】
母基板１０１は、酸化アルミニウム質焼結体，窒化アルミニウム質焼結体，ムライト質焼結体，ガラスセラミックス等のセラミック材料から成る。母基板１０１は、セラミック材料から成る複数の絶縁層が積層することにより形成されている。母基板１０１は、例えば、酸化アルミニウム質焼結体から成る場合であれば、酸化アルミニウム、酸化ケイ素等の原料粉末を有機溶剤，バインダーとともにシート状に成形して複数のセラミックグリーンシート（以下、グリーンシートという）を作製し、このセラミックグリーンシートに打ち抜き加工を施して所定の形状、寸法に加工するとともに上下に積層して積層体となし、１５００〜１６００℃程度で焼成することにより形成される。
【００２７】
また、配線基板領域１０２には配線導体１０４が形成されている。配線導体１０４は、凹部１０３に収容される電子部品と電気的に接続される。配線導体１０４は、例えば、凹部１０３の内側から配線基板領域１０２の角部（個片の場合の側面角部）に導出されるようにして形成されている。
【００２８】
配線導体１０４が導出されている凹部１０３の外側（例えば配線基板領域１０２の角部）には、母基板１０１を厚み方向に貫通するキャスタレーション導体１０５が形成されている。
【００２９】
配線導体１０４およびキャスタレーション導体１０５は、凹部１０３に収納される電子部品の電極を凹部１０３の外側に導出する導電路の一部として機能する。
【００３０】
配線導体１０４には、電子部品の電極がボンディングワイヤや半田等の導電性接続材（図示せず）を介して電気的に接続される。
【００３１】
配線導体１０４と電気的に接続された電子部品（電極）は、配線導体１０４およびキャスタレーション導体１０５を介して、配線基板領域１０２のうち凹部１０３が形成されている面と反対側の面に導出される。導出部分が、例えば外部電気回路基板に対向するようにして接続され、電子部品が外部電気回路基板の電気回路と電気的に接続される。
【００３２】
配線導体１０４は、タングステン，モリブデン，マンガン，銅，銀，パラジウム，白金，金等の金属材料から成り、例えば、タングステンから成る場合であれば、タングステンのペーストをセラミックグリーンシートに所定パターンに印刷塗布しておき、一体焼成することにより形成することができる。また、キャスタレーション導体１０５は、配線基板領域１０２の角部同士が隣接する部分に、配線基板領域１０２の境界に跨るようにして貫通孔（図示せず）を形成しておき、この貫通孔の内部に、配線導体１０４を形成するのと同様の金属ペーストを、スクリーン印刷法等の印刷法で塗布することにより形成することができる。
【００３３】
配線基板領域１０２は、凹部１０３が、母基板１０１の第１の面１０９に形成されたものと、母基板１０１の第２の面１１０に形成されたものとが交互に配置されている。
【００３４】
このような構造としたことから、母基板１０１の第１の面１０９に凹部１０３が形成された配線基板領域１０２と、母基板１０１の第２の面１１０に凹部１０３が形成された配線基板領域１０２とが交互に配置されることにより、母基板１０１の対向する第１および第２の面１０９、１１０の両側に、ほぼ同じ数の凹部１０３が、同じような間隔で配列されることになり、焼成のときに、母基板１０１（セラミックグリーンシートの積層体）の第１の面１０９と第２の面１１０とにおいて、収縮差が生じることを効果的に防止することができ、収縮差に起因する応力を抑制することができる。したがって、その応力に起因する母基板１０１の反りが抑制された多数個取り配線基板を提供することができる。
【００３５】
凹部１０３が第１の面１０９と第２の面１１０とに交互に位置する母基板１０１は、例えば、複数のグリーンシートを上下に積層して積層体となし、これを焼成して形成する場合であれば、以下のようにして作製することができる。
【００３６】
すなわち、グリーンシートのうち、所定のものの配線基板領域１０２に打ち抜き加工を施して開口部を形成する。この打ち抜き加工は、縦横に配列される配線基板領域１０２に対して縦および横の各方向に１個おきに行なう。次に、グリーンシートを、開口部が形成されたもの、開口部が形成されていないもの、開口部が形成されたもの、の順に順次積層して積層体を形成する。開口部は、積層体の、第１の面１０９となる側と第２の面１１０となる側との間で異なる配線基板領域１０２に位置するようにしておく。この積層体を焼成することにより、凹部１０３が第１の面１０９と第２の面１１０とに交互に位置する母基板１０１を作製することができる。
【００３７】
電子部品が収容される凹部１０３は、例えば、蓋体や樹脂等の封止材料（図示せず）により封止される。
【００３８】
蓋体は、鉄−ニッケル−コバルト合金や鉄−ニッケル合金等の金属材料、セラミック材料、樹脂材料等により形成される。例えば、鉄−ニッケル−コバルト合金から成る板材に打ち抜き加工やエッチング加工等の金属加工を施して、凹部１０３を塞ぐ板状に成形することにより作製される。蓋体は、例えば、シーム溶接や電子ビーム溶接等の溶接、ろう付、樹脂やガラス等の接合材を介した接合等の手段で母基板１０１の凹部１０３を取り囲む枠状の部位（枠部）の上面に、凹部１０３を塞ぐようにして接合される。この場合、枠部の上面に、溶接やろう付けによる接合を容易かつ強固なものとするために、メタライズ層を形成しておいてもよい。
【００３９】
また、本発明の多数個取り配線基板は、好ましくは、複数の配線基板領域１０２は、各々の配線基板領域１０２の対角線上に位置する角部にキャスタレーション導体１０５が形成されている。
【００４０】
このような構造としたことから、第１および第２の面１０９、１１０に交互に凹部１０３が配置されたとしても（電子部品収納用パッケージとなる配線基板領域１０２が、交互に表裏逆になるように配列されたとしても）、隣り合う配線基板領域１０２の間の電気的な接続が容易に行なえる。
【００４１】
つまり、各配線基板領域１０２の対角線上に位置する角部は、配線基板領域１０２同士が表裏逆向きに配列されたときに、ちょうど隣り合う位置に位置し得ることになる。そのため、各角部に形成されたキャスタレーション導体１０５が、隣り合う配線基板領域１０２の間で接することになる。このキャスタレーション導体１０５同士を隣り合う配線基板領域１０２の間で互いに容易に電気的に接続させることができる。
【００４２】
その結果、例えば、各々の配線基板領域１０２の対角線上に位置する角部にキャスタレーション導体１０５が形成された配線基板において、ダミー配線基板領域（図示せず）を形成することなく配列形成することができることから、母基板１０１に配列される配線基板領域１０２の取り個数を減少させることがない。したがって、電子部品収納用パッケージ等の個片の生産性の高い多数個取り配線基板を提供することができる。なお、ダミー配線基板領域は、例えば、第１の面１０９から見て配線基板領域１０２と同じ形状および寸法を有する領域である。全ての配線基板領域１０２が、第１の面１０９および第２の面１１０のいずれか一方のみに凹部１０３が位置するように配置された場合、対角線上に位置する角部のキャスタレーション導体１０５は、隣り合う配線基板領域１０２の間で隣接しないようになる。そのため、配線基板領域１０２のキャスタレーション導体１０５を他のキャスタレーション導体１０５に電気的に接続させるために、キャスタレーション導体１０５と隣り合う角部にダミーのキャスタレーション導体（図示せず）を備えるダミー配線基板領域を介在させる必要がある。
【００４３】
ここで、キャスタレーション導体１０５は、セラミックグリーンシートに打ち抜き加工を施して所定の位置に貫通孔を形成しておき、貫通孔の内側面に金属ペーストを、真空吸引を併用したスクリーン印刷法で塗布しておくことにより形成することができる。このようにした場合、配線基板領域１０１となるグリーンシートの側面に、１個ずつキャスタレーション導体１０５となる金属ペーストを印刷するような手間が不要で、キャスタレーション導体１０５を有する電子部品収納用パッケージを一括して製作することができ、生産性も良好なものとすることができる。
【００４４】
なお、キャスタレーション導体１０５を介して隣り合う配線基板領域１０２の間を電気的に接続しておくと、複数の配線基板領域１０２を一括して電気的に接続させることができるので、例えば、電解めっき法で、配線導体１０４の露出面にめっき層（図示せず）を被着させることが容易に行なえる。
【００４５】
めっき層は、ニッケルめっき層や金めっき層、銅めっき層等（図示せず）であり、配線導体１０４に対する導電性接続材の接続強度を高めたり、接続を容易としたりする機能を有する。
【００４６】
この場合、一部の配線基板領域１０２の配線導体１０４にめっき用の電流を供給すると、キャスタレーション導体１０５を介して、隣り合う配線基板領域１０２に順次電流が流れ、電界めっき法によるめっきが施される。
【００４７】
また、キャスタレーション導体１０５は、個片の配線基板領域１０２を外部電気回路基板に実装するときに、実装用の接続材（はんだや導電性接着剤等）を這い上がらせてフィレットを形成させ、接続強度を向上させる機能を備えることもできる。
【００４８】
また、本発明の多数個取り配線基板は、好ましくは、第１の面１０９に形成された凹部１０３の底面と第２の面１１０に形成された凹部１０３の底面とが、母基板１０１の厚み方向の同じ位置に形成されている。
【００４９】
このような構造としたことにより、次のような効果を得ることができる。すなわち、各配線基板領域１０２において、配線導体１０４を母基板１０１の厚み方向の中央の１面（凹部１０３の底面が位置する面）に集中させることができるので、隣接する配線基板領域１０２の間で配線導体１０４同士を直接接続させるような場合、同じ面内となり接続が容易である。そのため、例えば、異なる面に位置する配線導体１０４を接続させる際には必要な、貫通導体やキャスタレーション等の厚み方向の引き回しを最小限とすることができ、隣り合う配線基板領域１０２間を接続する配線導体１０４の引き回しが容易となる。したがって、生産性を向上させることができる。
【００５０】
配線基板領域１０２の凹部１０３が形成された側は、焼成時の熱の影響を受け易く収縮率が大きくなる傾向がある。本発明の多数個取り配線基板においては、母基板１０１の第１の面１０９に凹部１０３が形成された配線基板領域１０２と、母基板１０１の第２の面１１０に凹部１０３が形成された配線基板領域１０２とが交互に配置されているとともに、第１の面１０９に形成された凹部１０３の底面と第２の面１１０に形成された凹部１０３の底面とが、母基板１０１の厚み方向の同じ位置に形成されていることから、焼成のときに、母基板１０１（セラミックグリーンシートの積層体）の第１の面１０９と第２の面１１０において、凹部１０３の形状に起因して収縮差が生じることをさらに効果的に防止することができ、収縮差に起因する応力を抑制することができる。したがって、その応力に起因する母基板１０１全体としての反りがより効果的に抑制された多数個取り配線基板を提供することができる。
【００５１】
また、配線基板領域１０２の厚み方向における配線導体１０４を母基板１０１の中央の１面に集中させることができることから、配線導体１０４と母基板１０１との焼成時の収縮の差に起因する応力を、母基板１０１の厚み方向の中央部分に集中させることができる。そのため、その応力が、母基板１０１の第１または第２の面１０９、１１０のいずれか一方に偏って作用することに起因する反りを軽減して多数個取り配線基板に発生する反りをさらに効果的に低減することができる。
【００５２】
また、本発明の多数個取り配線基板は、好ましくは、母基板１０１は、複数の配線基板領域１０２の境界に、第１の面１０９および第２の面１１０から同じ深さで、かつ母基板１０１の凹部１０３を取り囲む枠部の厚みの３０〜７０％の深さで分割溝が形成されている。
【００５３】
このような構造としたことから、配線基板領域１０２を個片状に分割した際に、側面に形成される破断面の面積を同じものとすることができ、形状の均一な配線基板を得ることができる。また、第１および第２の面１０９、１１０の両側で、分割溝１０７の深さが同じなので、分割溝１０７が形成されている部位における母基板１０１の機械的強度を第１および第２の面１０９、１１０の両側で揃えることができる。また、この分割溝１０７は、枠部の厚みの３０〜７０％の深さで形成されているので、第１および第２の面１０９、１１０の両側で互いに対向するように形成されることにより、所定の分割位置における母基板１０１の機械的強度を、分割が容易な程度に低くすることができる。したがって、個片に分割するときの不用意な割れやバリ欠けを防止することができる。
【００５４】
なお、母基板１０１の上下第１、第２の面１０９、１１０のいずれかの分割溝１０７の先端（底部）から対向する分割溝１０７の先端に向かって亀裂が進み、各配線基板領域１０２を分割することができる。
【００５５】
また、分割溝１０７は、母基板１０１となるグリーンシートの積層体の第１の面１０９や第２の面１１０に、配線基板領域１０２の境界に沿ってカッター刃や金型を押し当てて切り込みを入れる等の方法により形成される。
【００５６】
また、このような分割溝１０７は、母基板１０１の外周に形成される捨て代領域（図示せず）にかけて分割溝１０７の両端が捨て代領域まで延出するように形成されていることが好ましい。これは、最外周の配線基板領域１０２においてバリ、欠けが発生する可能性を低減させるためである。分割溝１０７の端部が捨て代領域に形成されていないと、捨て代領域の剛性が高くなり、特に母基板１０１の角部に形成される配線基板領域１０２の分割しない部位に誤って亀裂が生じる可能性があるためである。捨て代領域を設ける場合、最外周の配線基板領域１０２と捨て代領域との境界に沿った部位にも分割溝（図示せず）を形成しておく。
【００５７】
ここで、捨て代領域は、多数個取り配線基板の取り扱いを容易とするためのものである。また、上述のように各配線基板領域１０２にめっき用の電流を供給する際に、導電路（図示せず）を引き回すためのスペースとしても機能する。
【００５８】
また、配線導体１０４やキャスタレーション導体１０５は、その露出された表面にニッケル，金等のめっき層（図示せず）が被着されていることが好ましい。これにより、配線導体１０４やキャスタレーション導体１０５の酸化を効果的に防止することができるとともに、配線導体１０４に対するボンディングワイヤの接続性や半田の濡れ性等を向上させることができ、電気的接続の信頼性を向上させることができる。このようなめっき層は、母基板１０１の外周部に枠状のめっき導通用パターンを形成しておき、このめっき導通用パターンをめっき用治具で保持し、めっき液中で治具の端子からめっき導通用パターンを経由して配線導体１０４やキャスタレーション導体１０５に電流を供給することにより形成される。
【００５９】
本発明の多数個取り配線基板は、このような構成により、各配線基板領域１０２に凹部１０３が形成されている母基板１０１において、焼成のときに、第１の面１０９と第２の面１１０とにおける収縮差に起因する応力を抑制することができ、その応力に起因する母基板１０１の反りが抑制された多数個取り配線基板を提供することができる。
【００６０】
なお、本発明の多数個取り配線基板の例では、配線基板領域１０２の凹部１０３に形成される配線導体１０４を２箇所とし、対角線上に位置する角部に形成されるキャスタレーション導体１０５を２箇所としたが、その他の数の配線導体１０４、およびキャスタレーション導体１０５としてもよい。
【図面の簡単な説明】
【００６１】
【図１】（ａ）は、本発明の多数個取り配線基板の構造を示す平面図であり、（ｂ）は、（ａ）に示した多数個取り配線基板のＸ−Ｘ’線における断面図である。
【符号の説明】
【００６２】
１０１・・・母基板
１０２・・・配線基板領域
１０３・・・凹部
１０４・・・配線導体
１０５・・・キャスタレーション導体
１０７・・・分割溝
１０９・・・第１の面
１１０・・・第２の面
【図１】
0004594253.tif 000002